(57)【特許請求の範囲】
【請求項１】
筐体の天井面、側面、背面のうちのいずれか一つ、またはこれらの任意の組み合わせからなる壁面熱交換器を備え、かつ筐体の底面を底面熱交換器として形成するとともに、当該筐体の底面に吸気口および排気口を設けて風路を形成し、冷凍サイクルで発生する冷熱を商品の冷却に、温熱を商品の加熱に用い、温度制御により余剰となった温熱または冷熱を、室外熱交換器として形成された自動販売機の筐体表面および底面熱交換器から放熱させるようにしたことを特徴とする自動販売機。
【請求項２】
冷媒として、自然冷媒であるＨＣ冷媒を用いたことを特徴とする請求項１に記載の自動販売機。
【発明の詳細な説明】
【０００１】
【発明の属する技術分野】
この発明は、自動販売機に関し、さらに詳しくは、省エネルギー化を実現できるとともに、脱フロン化および低騒音化をも同時に実現できる自動販売機に関する。
【０００２】
【従来の技術】
従来の２室機の自動販売機の構成を図２２および図２３に示し、その冷凍サイクル構成を図２４に示す。ここで、図２２は、従来の自動販売機を示す側断面図、図２３は、従来の自動販売機を示す正面図、図２４は、従来の自動販売機の冷凍サイクルを示す回路図である。
【０００３】
図２２および図２３に示すように、本体ケース１には、外扉２と内扉３が設けられ、左室１Ｌおよび右室１Ｒに商品収納ラック４が設けられている。なお、以下の説明において、左室、右室に係る部材名称には、適宜、添え字のＬ，Ｒを付すこととする。
【０００４】
各室１Ｌ，１Ｒには、庫内温度を検知する庫内温度センサ（図示せず）が設けられている。機械室５には、冷凍機の構成機器である圧縮機６、送風のためのファン７、凝縮器（室外熱交換器）８等が設けられ、庫内には蒸発器９、ファン１０、ヒータ１１１が設けられている。すなわち、商品の冷却には冷凍機、加熱にはヒータ１１１が用いられるようになっている。冷凍機の冷媒は、フロン系冷媒であるＲ４０７ｃが一般的に用いられている。
【０００５】
また、機械室５には、前面開口部２ａと背面開口部１ａが形成され、凝縮器８用のファン１０を用いて、この前面開口部２ａから吸気し、背面開口部１ａから排気する風路構造となっている。冷凍機から発生する温熱は、この風路構造により、機外に排熱される。
【０００６】
つぎに、自動販売機の加熱・冷却運転について説明する。この運転方法には、つぎの２つの運転モードがある。すなわち、
▲１▼  ＣＣモード：左室１Ｌと右室１Ｒを、ともにコールド運転
▲２▼  ＣＨモード：左室１Ｌをコールド運転、右室１Ｒをホット運転
である。
【０００７】
上記ＣＣモードの運転方法について図２４および図２５に基づいて説明する。ここで、図２５は、ＣＣモード時の運転方法を示すタイミングチャートである。図２５に示すように、飲料温度をたとえば約３℃にするために、庫内温度が５℃を上回ると、各室１Ｌ，１Ｒの電磁弁１１２，１１４を開状態として冷却を行う。
【０００８】
一方、庫内温度が０℃を下回ると、各室１Ｌ，１Ｒの電磁弁１１２，１１４を閉状態として冷却を停止する。このとき、圧縮機６は、電磁弁１１２，１１４が１つでも開状態であれば、運転される。冷凍機で発生した温熱は、ファン７により凝縮器（室外熱交換器）８を通して機外へ排熱される。
【０００９】
つぎに、ＣＨモードの運転方法について図２４および図２６に基づいて説明する。ここで、図２６は、ＣＨモード時の運転方法を示すタイミングチャートである。図２６に示すように、左室１Ｌは、飲料温度をたとえば約３℃にするために、庫内温度が５℃を上回ると、電磁弁１１２を開状態とし、圧縮機６を起動して冷却を行う。右室１Ｒは、飲料温度をたとえば約５５℃にするために、庫内温度が５３℃を下回ると、ヒータ１１１に通電して加熱する。
【００１０】
一方、庫内温度が５８℃を上回ると、ヒータ１１１への通電を切り、加熱を停止する。冷凍機で発生した温熱は、ファン７により凝縮器（室外熱交換器）８を通して機外へ排熱される。
【００１１】
【発明が解決しようとする課題】
しかしながら、従来の自動販売機は、冷凍機で発生する温熱は、商品の加熱に使われることなく、凝縮器（室外熱交換器）８を通して機外へ排熱されるので、省エネルギー化に反するという課題があった。
【００１２】
また、フロン冷媒を用いた冷凍機を搭載した自動販売機では、冷凍機で発生する温熱を飲料加熱に用いる手段が提供されているが（たとえば、特許第３１８６４１７号等）、冷媒の物性上、５５℃程度の飲み頃温度まで加熱できないため、高周波誘導加熱装置等との組み合わせて加熱する必要（ヒートポンプを用いて商品を３５℃に予熱し、これを販売時に高周波誘導加熱装置を用いて５５℃に加熱する）があり、コスト高となってしまうという課題があった。そして、高周波誘導加熱装置により加熱するために、販売時にその加熱のための待ち時間が必要となるという課題もあった。
【００１３】
さらに、従来の自動販売機では、機械室５内の冷凍機で発生する温熱を機外に排気するために、前面開口部２ａから吸気し、背面開口部１ａから排気する構造を採用していることが多く、このような自動販売機を屋内に設置すると、ファン７や圧縮機６の騒音が前面開口部２ａから漏洩するという課題もあった。
【００１４】
この発明は、上記に鑑みてなされたものであって、省エネルギー化を実現できるとともに、脱フロン化および低騒音化をも同時に実現できる自動販売機を提供することを目的とする。
【００１５】
【課題を解決するための手段】
上述の目的を達成するために、この発明の請求項１にかかる自動販売機は、筐体の天井面、側面、背面のうちのいずれか一つ、またはこれらの任意の組み合わせからなる壁面熱交換器を備え、かつ筐体の底面を底面熱交換器として形成するとともに、当該筐体の底面に吸気口および排気口を設けて風路を形成し、冷凍サイクルで発生する冷熱を商品の冷却に、温熱を商品の加熱に用い、温度制御により余剰となった温熱または冷熱を、室外熱交換器として形成された自動販売機の筐体表面および底面熱交換器から放熱させるようにしたことを特徴とする。
【００１６】
加熱・冷却をすべて冷凍サイクルの制御で行うため、従来用いていた加熱用のヒータが不要となり、使用電力を低減して運転コストを低減でき、省エネルギー化を実現できる。また可燃性冷媒を使用する場合には、防爆性の点でも有利である。さらに、上記従来技術で要していた別途の加熱装置を必要とせず、販売時にその加熱のための待ち時間が必要ない。しかも、筐体底面に放熱面を確保でき、さらに放熱しやすくできる。また、自動販売機の前面に吸気口を設ける必要がなく、ファンや圧縮機の運転騒音が自動販売機前方へ漏洩するのを最小限に抑えることができる。したがって、屋内設置に好適な自動販売機を提供できる。
また、自動販売機の筐体を利用して放熱させる構成であるため、従来の室外熱交換器としての凝縮器が不要となる他、当該熱交換器用の従来のファンを大幅に小型化できる。したがって、機械室の容積を小さく構成でき、その分、庫内の商品収納量を大幅に増やすことができる。
また、筐体の天井面、側面、背面のうちのいずれか一つ、またはこれらの任意の組み合わせからなる壁面熱交換器を備えているため、広い伝熱面積を確保でき、放熱しやすくできる。
【００１７】
また、この発明の請求項２にかかる自動販売機は、上述した請求項１において、冷媒として、自然冷媒であるＨＣ冷媒を用いたことを特徴とする。たとえば、イソブタンやプロパン、プロパンとイソブタンの混合冷媒等を用いることができる。
【００１８】
ヒートポンプにより、たとえばコールド商品を３℃、ホット商品を５５℃で保温するためには、冷凍サイクルとして蒸発温度が−１０℃、凝縮温度が７０℃程度の大温度差が要求される。たとえば、イソブタンを冷媒にすると、その凝縮温度７０℃時の冷媒圧力は１．１Ｍｐａであり、従来の自動販売機の冷媒Ｒ４０７ｃと比較して半分以下の冷媒圧力で対応できるため、構成機器の機械的強度の面で十分に構成可能であり、大温度差のヒートポンプを実現できる。
【００２７】
【発明の実施の形態】
以下、この発明にかかる自動販売機の実施の形態につき図面を参照しつつ詳細に説明する。なお、この実施の形態によりこの発明が限定されるものではない。
【００２８】
実施の形態１．
図１は、この発明の実施の形態１にかかる自動販売機を示す側断面図、図２は、自動販売機の熱収支を示す説明図、図３は、底面熱交換器と壁面熱交換器の接続状態を示す説明図、図４は、壁面熱交換器の冷媒配管を示す説明図、図５は、機械室の風路構造を示す平面図である。
【００２９】
また、図６は、冷凍サイクル構成を示す回路図、図７は、ＣＣモード時における制御動作を示す回路図、図８は、ＣＨモード時の運転方法を示すタイミングチャートである。
【００３０】
また、図９は、ＣＨモード（基本）時における制御動作を示す回路図、図１０は、ＣＨモード（冷却余剰）時における制御動作を示す回路図、図１１は、ＣＨモード（加熱余剰）時における制御動作を示す回路図である。
【００３１】
なお、以下の説明において、すでに説明した部材と同一もしくは相当する部材には、同一の符号を付して重複説明を省略または簡略化する。
【００３２】
まず、自動販売機の全体構成について図１〜図５に基づいて説明する。本体ケース１には、外扉２と内扉３が設けられ、左室１Ｌおよび右室１Ｒに商品収納ラック４が設けられている。各室１Ｌ，１Ｒには、庫内温度を検知する庫内温度センサ（図示せず）が設けられている。
【００３３】
後述する運転制御により、左室１Ｌは冷却専用室、右室１Ｒは加熱室または冷却室として使用できるようになっている。また、庫内の加熱・冷却をすべて冷凍サイクルで行うため、従来、加熱用に用いていたヒータ１１１が設置されていない。
【００３４】
機械室５には、冷凍機の構成機器である圧縮機６、送風のための小型ファン７が設けられ、庫内には商品収納ラック４の他、室内熱交換器２０Ｌ，２０Ｒ、ファン１０が設けられている。
【００３５】
本発明にかかる自動販売機は、従来の室外熱交換器としての凝縮器８の代わりに、本体ケース１を利用した壁面熱交換器２２および底面熱交換器２４によって放熱させる構成となっている。この壁面熱交換器２２および底面熱交換器２４は、図３に示すように、冷媒配管２６によって接続して構成されている。
【００３６】
この壁面熱交換器２２は、図１，図２および図４に示すように、本体ケース１の天井面と、左右の側面と、背面に設けられ、本体ケース１を形成する板厚内に冷媒配管２６を内蔵させてある。
【００３７】
また、フィン付き管等からなる底面熱交換器２４は、図１および図５に示すように、本体ケース１の底面に設けられており、図５に示す風路構造となっている。すなわち、機械室５を風路仕切板２７で区画するとともに、区画された各底面に吸気口２８と排気口２９が設けられている。排気口２９の近傍には、蒸発皿３０が設置されている。このように、機械室５における吸排気は、図５中の矢印で示すように、本体ケース１の底面から行われ、従来のように外扉２には前面開口部２ａが形成されていない。
【００３８】
また、冷凍サイクルは、図６に示すように、上記圧縮機６と、室内熱交換器２０Ｌ，２０Ｒと、壁面熱交換器２２と、底面熱交換器２４と、電磁弁５０、５１、５２、５３、５４、５５と、キャピラリチューブ６０、６１と、電子膨張弁６３と、アキュムレータ６４と、逆止弁７０、７１、７２、７３、７４等とを構成要素として備え、図示のように接続されている。なお、これらの構成要素は、図示しない制御部によって制御指令が出され、制御されている。
【００３９】
冷媒は、自然冷媒であるＨＣ（ハイドロカーボン）冷媒を用いており、たとえば、イソブタンやプロパン、プロパンとイソブタンの混合冷媒等を用いることができる。このＨＣ冷媒を用いたのは、つぎの理由による。すなわち、ヒートポンプにより、たとえばコールド商品を３℃、ホット商品を５５℃で保温するためには、冷凍サイクルとして蒸発温度が−１０℃、凝縮温度が７０℃程度の大温度差が必要である。
【００４０】
しかしながら、従来の自動販売機の冷凍サイクルで用いている冷媒は、フロン系冷媒のＲ４０７ｃであり、凝縮温度７０℃時の冷媒圧力は３．４Ｍｐａと高く、構成機器の機械的強度の面で現実的には構成不可能である。これに対して、上記イソブタンの凝縮温度７０℃時の冷媒圧力は１．１Ｍｐａであり、上記Ｒ４０７ｃと比較して半分以下の冷媒圧力で対応できるため、構成機器の機械的強度の面で十分に構成可能であり、大温度差のヒートポンプを実現できる。
【００４１】
つぎに、自動販売機の加熱・冷却運転について説明する。従来技術において説明した運転モードと同様、つぎの２つの運転モードにより運転される。
▲１▼  ＣＣモード：左室１Ｌと右室１Ｒを、ともにコールド運転
▲２▼  ＣＨモード：左室１Ｌをコールド運転、右室１Ｒをホット運転
【００４２】
上記ＣＣモードの運転方法について図７に基づいて説明する。運転方法は、従来技術例と同様である。すなわち、飲料温度をたとえば約３℃にするために、庫内温度が５℃を上回ると、冷媒を、図中の太線および矢印で示すように流すために、電磁弁５５，５０，５２を開状態とし、圧縮機６を運転して冷却を行う。
【００４３】
一方、庫内温度が０℃を下回ると、電磁弁５５，５０，５２を閉状態として冷却を停止する。冷凍機で発生した温熱は、壁面熱交換器２２および底面熱交換器２４を通して機外へ排熱される。
【００４４】
つぎに、ＣＨモードの運転方法について図９〜図１１に基づいて説明する。図８に示すように、左室１Ｌは、飲料温度をたとえば約３℃にするために、庫内温度が５℃を上回ると、上記制御部は冷却要求を出す。右室１Ｒは、飲料温度をたとえば約５５℃にするために、庫内温度が５３℃を下回ると、上記制御部は加熱要求を出す。
【００４５】
冷却要求と加熱要求の両方が出されているときは、図９に示すヒートポンプの基本回路に冷媒を流して加熱冷却を行う。加熱要求のみが出されているときは、図１０に示すヒートポンプ回路（冷却余剰）に冷媒を流して加熱運転を行う。このとき、余剰の冷熱は、壁面熱交換器２２と底面熱交換器２４により排熱する。
【００４６】
また、冷却要求のみが出されているときは、図１１に示すヒートポンプ回路（加熱余剰）に冷媒を流して冷却運転を行う。このとき、余剰の温熱は、壁面熱交換器２２と底面熱交換器２４により排熱する。
【００４７】
以上のように、この実施の形態１にかかる自動販売機によれば、以下のような効果を奏することができる。すなわち、この自動販売機は、加熱・冷却をすべて冷凍サイクルで行うため、従来用いていたヒータ１１１が不要となり、使用電力を低減し、運転コストを低減できるとともに、可燃性のＨＣ冷媒の使用において防爆性の点でも有利である。さらに、上記従来技術で要していた別途の高周波誘導加熱装置を必要とせず、販売時にその加熱のための待ち時間が必要ない。
【００４８】
また、従来の室外熱交換器としての凝縮器８の代わりに、本体ケース１を利用した壁面熱交換器２２および底面熱交換器２４によって放熱させる構成であるため、従来の室外熱交換器としての凝縮器８が不要となる他、当該熱交換器用の従来のファン７を大幅に小型化できる。したがって、機械室５の容積を小さく構成でき、その分、庫内の商品収納量を大幅に増やすことができる。
【００４９】
また、機械室５における吸排気は、本体ケース１の底面から行い、従来の前面開口部２ａを外扉２に形成していないため、ファン７や圧縮機６の運転騒音が自動販売機前方へ漏洩するのを最小限に抑えることができる。したがって、屋内設置に好適な自動販売機を提供できる。
【００５０】
なお、上記実施の形態１においては、底面吸排気構造を採用するものとして説明したが、これに限定されず、たとえば、図１２に示すように、背面吸排気構造を採用してもよい。ここで、図１２は、背面吸排気構造を示す平面図である。
【００５１】
すなわち、本体ケース１の背面下方部に背面熱交換器３２を配設し、本体ケース１とその背面板３３との間に、スペーサ３４を用いて吸気口３７と排気口３８を形成するものである。背面熱交換器３２は、底面熱交換器２４と同様にフィン付き管により構成できる。これらの構成によっても、上記実施の形態に示した効果と同様の効果を期待できる。
【００５２】
また、２室機の自動販売機を例にして説明したが、これに限定されず、図１３〜図１５に示すように、左室１Ｌ、中室１Ｍ、右室１Ｒの３室を備え、仕切板４０の前後に配されたシャッタ４１〜４４の開閉を制御し、流路を切り換えることにより、中室１Ｍのホット／コールド運転の切り換えができるように構成された自動販売機を提供することもできる。本体ケース１の背面には、背面ダクト３６が設けられている。ここで、図１３〜図１５は、３室対応時の自動販売機の構成例を示す断面図であり、それぞれ、ＣＣＨモード、ＣＣＣモード、ＣＨＨモードを示している。
【００５３】
実施の形態２．
上記実施の形態１においては、自然冷媒であるＨＣ（ハイドロカーボン）冷媒を用い、温度制御により余剰となった温熱または冷熱を、室外熱交換器として形成された自動販売機の筐体表面から放熱させる例について説明したが、ＨＣ冷媒を用い、温度制御により余剰となった温熱または冷熱を、従来の室外熱交換器により放熱させる自動販売機であってもよく、本実施の形態２では、かかる自動販売機について示したものである。
【００５４】
図１６は、この発明の実施の形態２にかかる自動販売機を示す側断面図、図１７は、冷凍サイクル構成を示す回路図、図１８は、ＣＣモード時における制御動作を示す回路図、図１９は、ＣＨモード（基本）時における制御動作を示す回路図、図２０は、ＣＨモード（冷却余剰）時における制御動作を示す回路図、図２１は、ＣＨモード（加熱余剰）時における制御動作を示す回路図である。なお、ＣＨモード時の運転方法を示すタイミングチャートは、上記実施の形態１で示した図８と同様であるので、図示を省略する。
【００５５】
冷凍サイクルは、図１７に示すように、上記圧縮機６と、室内熱交換器２０Ｌ，２０Ｒと、室外熱交換器８と、電磁弁５０、５１、５２、５３、５４、５５と、キャピラリチューブ６０、６１と、電子膨張弁６３と、アキュムレータ６４と、逆止弁７０、７１、７２、７３、７４等とを構成要素として備え、図示のように接続されている。なお、これらの構成要素は、図示しない制御部によって制御指令が出され、制御されている。
【００５６】
つぎに、自動販売機の加熱・冷却運転について説明する。従来技術において説明した運転モードと同様、つぎの２つの運転モードにより運転される。
▲１▼  ＣＣモード：左室１Ｌと右室１Ｒを、ともにコールド運転
▲２▼  ＣＨモード：左室１Ｌをコールド運転、右室１Ｒをホット運転
【００５７】
上記ＣＣモードの運転方法について図１８に基づいて説明する。運転方法は、従来技術例と同様である。すなわち、飲料温度をたとえば約３℃にするために、庫内温度が５℃を上回ると、冷媒を、図中の太線および矢印で示すように流すために、電磁弁５５，５０，５２を開状態とし、圧縮機６を運転して冷却を行う。
【００５８】
一方、庫内温度が０℃を下回ると、電磁弁５５，５０，５２を閉状態として冷却を停止する。冷凍機で発生した温熱は、室外熱交換器８を通して機外へ排熱される。
【００５９】
つぎに、ＣＨモードの運転方法について上述した図８と、図１９〜図２１に基づいて説明する。図８に示すように、左室１Ｌは、飲料温度をたとえば約３℃にするために、庫内温度が５℃を上回ると、上記制御部は冷却要求を出す。右室１Ｒは、飲料温度をたとえば約５５℃にするために、庫内温度が５３℃を下回ると、上記制御部は加熱要求を出す。
【００６０】
冷却要求と加熱要求の両方が出されているときは、図１９に示すヒートポンプの基本回路に冷媒を流して加熱冷却を行う。加熱要求のみが出されているときは、図２０に示すヒートポンプ回路（冷却余剰）に冷媒を流して加熱運転を行う。このとき、余剰の冷熱は、室外熱交換器８により排熱する。
【００６１】
また、冷却要求のみが出されているときは、図２１に示すヒートポンプ回路（加熱余剰）に冷媒を流して冷却運転を行う。このとき、余剰の温熱は、室外熱交換器８により排熱する。
【００６２】
以上のように、この実施の形態２にかかる自動販売機によれば、大温度差のヒートポンプを実現できるとともに脱フロン化を実現でき、環境に優しい自動販売機を提供できる。
【００６３】
【発明の効果】
以上説明したように、この発明にかかる自動販売機によれば、冷媒として自然冷媒であるＨＣ冷媒を用い、冷凍サイクルで発生する冷熱を商品の冷却に、温熱を商品の加熱に用いるようにしたので、大温度差のヒートポンプを実現できるとともに脱フロン化を実現でき、環境に優しい自動販売機を提供できる。
【００６４】
また、この発明にかかる自動販売機によれば、冷凍サイクルで発生する冷熱を商品の冷却に、温熱を商品の加熱に用い、温度制御により余剰となった温熱または冷熱を、室外熱交換器として形成された自動販売機の筐体表面から放熱させるようにしたので、加熱・冷却をすべて冷凍サイクルの制御で行うことができ、従来用いていた加熱用のヒータが不要となる。したがって、使用電力を低減して運転コストを低減でき、省エネルギー化を実現できる。また可燃性冷媒を使用する場合には、防爆性の点でも有利である。
【００６５】
また、自動販売機の筐体を利用して放熱させる構成であるため、従来の室外熱交換器としての凝縮器が不要となる他、当該熱交換器用の従来のファンを大幅に小型化できる。したがって、機械室の容積を小さく構成でき、その分、庫内の商品収納量を大幅に増やすことができる。
【００６６】
また、この発明にかかる自動販売機によれば、冷媒として、自然冷媒であるＨＣ冷媒を用いたので、たとえば、イソブタンやプロパン、プロパンとイソブタンの混合冷媒等を用いることにより、大温度差のヒートポンプを実現でき、冷媒圧力に対する構成機器の機械的強度の面でも十分に対応できる。
【００６７】
また、この発明にかかる自動販売機によれば、筐体の天井面、側面、背面のうちのいずれか一つ、またはこれらの任意の組み合わせからなる壁面熱交換器を備えたので、広い伝熱面積を確保でき、放熱しやすくできる。
【００６８】
また、この発明にかかる自動販売機によれば、筐体の底面を底面熱交換器として形成するとともに、当該筐体底面に吸気口および排気口を設けて風路を形成し熱交換するようにしたので、筐体底面にも放熱面を確保でき、さらに放熱しやすくできる。また、自動販売機の前面に吸気口を設ける必要がなく、ファンや圧縮機の運転騒音が自動販売機前方へ漏洩するのを最小限に抑えることができる。したがって、屋内設置に好適な自動販売機を提供できる。
【図面の簡単な説明】
【図１】この発明の実施の形態１にかかる自動販売機を示す側断面図である。
【図２】自動販売機の熱収支を示す説明図である。
【図３】底面熱交換器と壁面熱交換器の接続状態を示す説明図である。
【図４】壁面熱交換器の冷媒配管を示す説明図である。
【図５】機械室の風路構造を示す平面図である。
【図６】冷凍サイクル構成を示す回路図である。
【図７】ＣＣモード時における制御動作を示す回路図である。
【図８】ＣＨモード時の運転方法を示すタイミングチャートである。
【図９】ＣＨモード（基本）時における制御動作を示す回路図である。
【図１０】ＣＨモード（冷却余剰）時における制御動作を示す回路図である。
【図１１】ＣＨモード（加熱余剰）時における制御動作を示す回路図である。
【図１２】背面吸排気構造を示す平面図である。
【図１３】３室対応時の自動販売機の構成例（ＣＣＨモード）を示す断面図である。
【図１４】３室対応時の自動販売機の構成例（ＣＣＣモード）を示す断面図である。
【図１５】３室対応時の自動販売機の構成例（ＣＨＨモード）を示す断面図である。
【図１６】この発明の実施の形態２にかかる自動販売機を示す側断面図である。
【図１７】冷凍サイクル構成を示す回路図である。
【図１８】ＣＣモード時における制御動作を示す回路図である。
【図１９】ＣＨモード（基本）時における制御動作を示す回路図である。
【図２０】ＣＨモード（冷却余剰）時における制御動作を示す回路図である。
【図２１】ＣＨモード（加熱余剰）時における制御動作を示す回路図である。
【図２２】従来の自動販売機を示す側断面図である。
【図２３】従来の自動販売機を示す正面図である。
【図２４】従来の自動販売機の冷凍サイクルを示す回路図である。
【図２５】ＣＣモード時の運転方法を示すタイミングチャートである。
【図２６】ＣＨモード時の運転方法を示すタイミングチャートである。
【符号の説明】
１  本体ケース
１Ｌ  左室
１Ｒ  右室
１Ｍ  中室
２  外扉
３  内扉
４  商品収納ラック
５  機械室
６  圧縮機
７、１０  ファン
８  室外熱交換器
２０  室内熱交換器
２０Ｌ  室内熱交換器（左室）
２０Ｒ  室内熱交換器（右室）
２２  壁面熱交換器
２４  底面熱交換器
２６  冷媒配管
２７  風路仕切板
２８  吸気口
２９  排気口
３０  蒸発皿
３２  背面熱交換器
３３  背面板
３４  スペーサ
３６  背面ダクト
３７  吸気口
３８  排気口
４０  仕切板
４１、４２、４３、４４  シャッタ
５０、５１、５２、５３、５４、５５  電磁弁
６０、６１  キャピラリチューブ
６３  電子膨張弁
６４  アキュムレータ
７０、７１、７２、７３、７４  逆止弁
【図１】
0003778082.tif 000002
【図２】
0003778082.tif 000003
【図３】
0003778082.tif 000004
【図４】
0003778082.tif 000005
【図５】
0003778082.tif 000006
【図６】
0003778082.tif 000007
【図７】
0003778082.tif 000008
【図８】
0003778082.tif 000009
【図９】
0003778082.tif 000010
【図１０】
0003778082.tif 000011
【図１１】
0003778082.tif 000012
【図１２】
0003778082.tif 000013
【図１３】
0003778082.tif 000014
【図１４】
0003778082.tif 000015
【図１５】
0003778082.tif 000016
【図１６】
0003778082.tif 000017
【図１７】
0003778082.tif 000018
【図１８】
0003778082.tif 000019
【図１９】
0003778082.tif 000020
【図２０】
0003778082.tif 000021
【図２１】
0003778082.tif 000022
【図２２】
0003778082.tif 000023
【図２３】
0003778082.tif 000024
【図２４】
0003778082.tif 000025
【図２５】
0003778082.tif 000026
【図２６】
0003778082.tif 000027